(57)【要約】【課題】携帯型の表示装置において、把持性よくワイドアスペクト比の画像／映像データを鑑賞可能とする。【解決手段】携帯型表示装置１は、略直方体形状の本体部１０と、支持部３０及び表示部４０が長手方向に配列された蓋体とからなる。支持部３０は、本体部１０の長手方向の中間位置から離隔した位置において主面と垂直な第１の軸を介して本体部１０と接続され、本体部１０の主面上で第１の軸周りに回動可能とされている。一方、表示部４０は、第１の軸と直交する第２の軸を介して支持部３０と接続され、第２の軸周りに回動可能とされている。メモリカード２の映像データを鑑賞する際には、支持部３０を第１の軸周りに略９０度回動させると共に表示部４０を第２の軸周りに例えば略１８０度回転させ、本体部１０の操作面と液晶表示パネル４３とを同一方向から視認できるようにする。【選択図】  図８
2004215194.tif 000002
【特許請求の範囲】
【請求項１】
略直方体形状の本体部と、該本体部の主面と略同寸法の対向面を有する蓋体とを備える携帯型表示装置において、
上記蓋体は、支持部と表示部とが長手方向に配列されてなり、
上記支持部は、上記本体部の長手方向の中間位置から離隔した位置において上記本体部の主面と垂直な第１の軸を介して上記本体部と接続され、上記本体部の主面上で上記第１の軸周りに回動可能とされており、
上記表示部は、上記蓋体の上記第１の軸と直交する第２の軸を介して上記支持部と接続され、該第２の軸周りに回動可能とされており、上記本体部との対向面に表示パネルが設けられていること
を特徴とする携帯型表示装置。
【請求項２】
上記表示パネルは、アスペクト比が１６：９であり、上記第１の軸による回動前においては、その長手方向が上記本体部の長手方向と一致することを特徴とする請求項１記載の携帯型表示装置。
【請求項３】
上記表示パネルには、半導体記憶媒体に記憶された表示データが表示されることを特徴とする請求項１記載の携帯型表示装置。
【請求項４】
上記半導体記憶媒体は、着脱可能なメモリカードであることを特徴とする請求項３記載の携帯型表示装置。
【請求項５】
上記本体部の長手方向の少なくとも一方の端部に、上記メモリカードを装着するための挿入スロットが設けられていることを特徴とする請求項４記載の携帯型表示装置。
【請求項６】
上記本体部の長手方向の上記支持部と接続された側の端部とそれに対向する上記支持部の端部とが略円弧形状とされており、上記第１の軸は、該円弧の略中心に位置することを特徴とする請求項１記載の携帯型表示装置。
【請求項７】
上記支持部の略円弧形状とされた側の端部には、上記表示パネルにおける表示を制御するための操作部が設けられていることを特徴とする請求項６記載の携帯型表示装置。
【請求項８】
上記第２の軸は、上記蓋体の上記第１の軸による回動方向側の辺に設けられていることを特徴とする請求項１記載の携帯型表示装置。
【請求項９】
上記第２の軸は、上記携帯型表示装置の電源スイッチと連動しており、該第２の軸を所定角度以上回動させると上記電源スイッチがオンになることを特徴とする請求項１記載の携帯型表示装置。
【請求項１０】
上記本体部の主面には、平面状のポインティング・デバイスであるトラックパッドが設けられていることを特徴とする請求項１記載の携帯型表示装置。
【請求項１１】
上記本体部の上記第１の軸による回動方向側の端面には、上記表示パネルにおける表示を制御するための操作部が設けられていることを特徴とする請求項１記載の携帯型表示装置。
【発明の詳細な説明】
【０００１】
【発明の属する技術分野】
本発明は、例えば着脱可能な半導体記憶媒体であるメモリカードに記憶された画像／映像データを液晶表示パネルに表示する携帯型表示装置に関する。
【０００２】
【従来の技術】
近年、半導体メモリを利用したカード状の記憶媒体であるメモリカードの高容量化が進み、音響データや映像データ等の大容量データを記憶することが可能となってきている。このようなメモリカードは、例えばテープ状記録媒体やディスク状記録媒体よりも小型であるため、持ち運びすることが前提とされる携帯型の小型電子機器用の記憶媒体として用いることが可能となる。
【０００３】
ここで、メモリカードを記憶媒体として用いた従来の携帯型電子機器の一例としては、例えば特許文献１に記載されている図１１に示すような携帯型電話機１００が挙げられる。この図１１に示す携帯型電話機では、オーディオデータが記憶されたメモリカードを挿入スロット（図示せず）に装着し、表示部１０１に表示された曲のタイトル等を回転押圧スイッチ１０２を操作して選択することで、所望の曲を再生することができる。
【０００４】
また、携帯型電話機の他の例としては、例えば特許文献２に記載されている図１２に示すような電子辞書２００が挙げられる。この図１２に示す電子辞書では、表示機能を実現するプログラム等の記憶されたメモリカードを挿入スロット（図示せず）に装着して文字キー２０１等を操作することで、所望の語句の解説や訳語等を表示部２０２に表示させることができる。
【０００５】
【特許文献１】
特開２００２−５７７５６号公報
【特許文献２】
特開２００１−３５０７９２号公報
【０００６】
【発明が解決しようとする課題】
ところで、このような形状の携帯型電子機器の表示部に例えば１６：９のワイドアスペクト比の画像／映像データを表示させようとした場合、図１１に示すような縦長形状の携帯型電話機１００では、表示部の長辺を携帯型電話機１００の短手方向にとるか、又は表示部の長辺を携帯型電話機１００の長手方向にとることになる。しかしながら、前者の場合には、画像／映像が小さくなってしまうという問題が発生し、後者の場合には、画像／映像を鑑賞するために携帯型電話機を９０度傾けなくてはならないという問題が発生する。
【０００７】
一方、図１２に示すような横長形状の電子辞書２００では、表示部の長辺を携帯型電話機１００の長手方向にとり、自然な形で画像／映像を鑑賞することができるものの、把持性が悪く、片手での操作に向かないという問題が発生する。
【０００８】
本発明は、このような従来の実情に鑑みて提案されたものであり、把持性よくワイドアスペクト比の画像／映像データを鑑賞可能とする携帯型表示装置を提供することを目的とする。
【０００９】
【課題を解決するための手段】
上述した目的を達成するために、本発明に係る携帯型表示装置は、略直方体形状の本体部と、該本体部の主面と略同寸法の対向面を有する蓋体とを備える携帯型表示装置において、上記蓋体は、支持部と表示部とが長手方向に配列されてなり、上記支持部は、上記本体部の長手方向の中間位置から離隔した位置において上記本体部の主面と垂直な第１の軸を介して上記本体部と接続され、上記本体部の主面上で上記第１の軸周りに回動可能とされており、上記表示部は、上記蓋体の上記第１の軸と直交する第２の軸を介して上記支持部と接続され、該第２の軸周りに回動可能とされており、上記本体部との対向面に表示パネルが設けられている。
【００１０】
ここで、上記表示パネルは、例えばアスペクト比が１６：９であり、上記第１の軸による回動前においては、その長手方向が上記本体部の長手方向と一致する。  また、この表示パネルには、半導体記憶媒体、例えば着脱可能なメモリカードに記憶された表示データが表示される。
【００１１】
このような携帯型表示装置は、画像／映像データを鑑賞する際に、支持部を第１の軸周りに回動させると共に表示部を第２の軸周りに例えば回動させ、本体部の主面と表示パネルとを同一方向から視認できるようにする。
【００１２】
【発明の実施の形態】
以下、本発明を適用した具体的な実施の形態について、図面を参照しながら詳細に説明する。この実施の形態は、本発明を、着脱可能な半導体記憶媒体であるメモリカードに記憶された映像データを液晶表示パネルに表示する携帯型表示装置に適用したものである。図１にこの携帯型表示装置１の分解斜視図を示し、図２及び図３にそれぞれ携帯型表示装置１の正面図及び背面図を示す。
【００１３】
図１に示すように、携帯型表示装置１は、長手方向の一端が略円弧形状である略直方体状の本体部１０と、この本体部１０の主面と略同寸法の主面を有する蓋体を構成する支持部３０及び表示部４０とを備える片手で把持するのに適した寸法形状とされ、図２及び図３に示すように、本体部１０の主面と蓋体の主面とを対向配置して構成される。なお、以下では、携帯型表示装置１の使用状態における方向に基づき、略円弧形状とされた方向を上方向、他端方向を下方向と定義する。
【００１４】
本体部１０の下端面には、図４の底面図に示すように、メモリカード２が挿入される挿入スロット１１と、例えば充電器（クレードル）上に載置して充電するための充電端子１２とが設けられており、上端面には、図５の平面図に示すように、例えば撮像機能を有するメモリカード３が挿入される挿入スロット１３が設けられている。
【００１５】
一方、蓋体の略円弧形状とされた上端側、すなわち支持部３０の上端側は、図２に示すように、円周に沿ってその一部が本体部１０から僅かに突出しており、この突出部に後述する回転操作スイッチ３１が設けられている。また、蓋体の下端側、すなわち表示部４０の下端側は、本体部１０の長手方向の長さよりも若干短くなっており、短手方向の両隅に指かけのための爪部４１，４２が設けられている。
【００１６】
ここで、支持部３０及び表示部４０からなる蓋体は、図２に示すように、円弧の略中心の点を軸中心Ｒ１とする第１の軸を介して本体部１０と接続されている。蓋体は、図６の正面図に示すように、円弧の略中心の点を軸中心Ｒ１とする第１の軸周りに、本体部１０の主面上で時計周り（図中右回り）に略９０度回動可能とされ、その位置で仮止めされる。この際、支持部３０の表示部４０との境界線上の辺３０ａが、本体部１０の左側辺１０ａの延長線上に位置することが好ましい。なお、この第１の軸周りの回動の際には、表示部４０に設けられた爪部４１に指をかけて回動させることができる。本体部１０の主面とそれに対向する蓋体の主面とは、この第１の軸周りの回動の妨げとならないように、突起部材のない略平坦面となされている。
【００１７】
また、支持部３０と表示部４０とは、図２に示すように、蓋体の左端、すなわち蓋体の第１の軸周りの回動方向側の端部において第２の軸Ｒ２を介して接続されている。表示部４０は、図７（Ａ）の正面図及び図７（Ｂ）の右側面図に示すように、本体部１０の主面に対向する面に設けられた液晶表示パネル４３が本体部１０の主面側から視認できるように、第２の軸Ｒ２周りに略１８０度回動可能とされ、その位置で仮止めされる。なお、略１８０度回動した位置のみならず、回動途中の数ヶ所において仮止め可能とし、表示部４０の角度を調節できるようにしても構わない。この第２の軸Ｒ２は、図７のように表示部４０を回動させた際に表示部４０を支持する必要があるため大径の軸とされており、この第２の軸Ｒ２を貫通するために、軸受け部分が蓋体の表面から隆起して形成されている。また、この第２の軸Ｒ２の回動は、携帯型表示装置１の電源スイッチと連動しており、表示部４０を支持部３０に対して所定角度以上回転させると、電源スイッチがオンになるようになされている。
【００１８】
この携帯型表示装置１の使用状態における外観斜視図を図８に示す。図８に示すように、携帯型表示装置１は、支持部３０を第１の軸周りに略９０度回動させると共に表示部４０を第２の軸Ｒ２周りに例えば略１８０度回転（反転）させ、本体部１０の主面となる操作面と液晶表示パネル４３とを同一方向から視認できる状態で使用される。
【００１９】
本体部１０の操作面には、平面状のポインティング・デバイス（小型タブレット）であるトラックパッド１４が設けられている。このトラックパッド１４上で図中ＸＸ’方向に接触操作すると液晶表示パネル４３に表示されたカーソル（図示せず）がＸＸ’方向に移動し、トラックパッド１４上で図中ＹＹ’方向に接触操作するとカーソルがＹＹ’方向に移動する。このようにして、液晶表示パネル４３上のＧＵＩを用いて情報入力を行うことができる。
【００２０】
なお、トラックパッド１４の代わりに、上下左右の方向キーといった複数の操作ボタンを設けるようにしても構わない。但し、本実施の形態のようにトラックパッド１４を設ける方が、操作ボタンを設けるよりも携帯型表示装置１の部品点数を減らすことが可能となる。
【００２１】
また、操作面上のトラックパッド１４からみて所定位置、例えば上部位置に凹部１５が形成され、この凹部１５の中にメニュー（ｍｅｎｕ）ボタン１６及びエンター（ｅｎｔｅｒ）ボタン１７が設けられている。このメニューボタン１６及びエンターボタン１７は、液晶表示パネル４３上のＧＵＩ（Ｇｒａｐｈｉｃ  Ｕｓｅｒ  Ｉｎｔｅｒｆａｃｅ）による表示を切り替え、又は選択するために使用される。なお、この凹部１５は、メニューボタン１６及びエンターボタン１７が操作面から突出しないような深さに形成されている。
【００２２】
本体部１０の下端面には、図４を用いて上述したように、メモリカード２が挿入される挿入スロット１１と、例えば充電器（クレードル）上に載置して充電するための充電端子１２とが設けられている。ここで、メモリカード２は、いわゆるＳＳＦＤＣ（Ｓｏｌｉｄ−Ｓｔａｔｅ  Ｆｌｅｘｉｂｌｅ  Ｄｉｓｋ  Ｃａｒｄ）と略称されるフラッシュＥＥＰＲＯＭ（Ｅｌｅｃｔｉｃａｌｌｙ  Ｅｒａｓａｂｌｅ  ａｎｄ  Ｐｒｏｇｒａｍｍａｂｌｅ  ＲＯＭ）を用いたメモリカードや、いわゆるミニチュアカード等の少なくとも画像／映像データを記憶可能な半導体記憶媒体であり、例えば１ＧＢのメモリ容量を有する。
【００２３】
一方、本体部１０の上端面には、図５を用いて上述したように、例えば撮像機能を有するメモリカード３が挿入される挿入スロット１３が設けられている。この撮像機能付きメモリカード３は、ＭＯＳ（Ｍｅｔａｌ  Ｏｘｉｄｅ  Ｓｅｍｉｃｏｎｄｕｃｔｏｒ）センサ等の撮像素子を有しており、被写体を撮像することができる。このような撮像機能付きメモリカード３を挿入スロット１３に挿入することで、撮像した画像データを該メモリカード３に記憶し、又は液晶表示パネル４３に表示させることが可能となる。なお、この撮像機能付きメモリカード３については、例えば本件出願人が先に提案した特開２００１−１４２７６０号公報に詳細に記載されている。
【００２４】
また、本体部１０の操作面に向かって左側面には、液晶表示パネル４３に表示された映像の再生又は停止を指示するための押圧スイッチ１８と、回転により音量を調節するためのボリュームダイアル１９とが設けられている。携帯型表示装置１を右手で把持した場合には、この押圧スイッチ１８及びボリュームダイアル１９を例えば人差し指で操作することができる。さらに左側面には、外部コンピュータ等と例えばＩＥＥＥ１３９４インターフェース等を用いてデータのやりとりをするためのデータ入出力端子２０と、ケーブル接続された外部ＡＶ（Ａｕｄｉｏ／Ｖｉｄｅｏ）機器から音響／映像データが入力されるライン入力端子２１と、イヤフォン４を接続するためのイヤフォン端子２２とが設けられている。
【００２５】
支持部３０は、上述したように、本体部１０の主面上で時計周りに略９０度回動可能とされており、略円弧形状とされた上端側は、円周に沿ってその一部が本体部から僅かに突出している。この突出部には、円周方向に微少回動可能とされた回動操作スイッチ３１が設けられており、この回動操作スイッチ３１を回転操作することで、例えば液晶表示パネル４３に表示された映像の早送り又は巻き戻しを指示することができる。この回動操作スイッチ３１は、回動可能範囲の中心位置に向かって付勢されており、微少回動させた状態で回動操作スイッチ３１から指を放すと、この中心位置に戻るようになされている。なお、この回動操作スイッチ３１は、支持部３０を時計回りに略９０度回動させた際に、携帯型表示装置１の右側に位置する。したがって、携帯型表示装置１を右手で把持した場合には、例えば親指で操作することができる。
【００２６】
表示部４０は、上述したように、本体部１０の操作面に対向する面に液晶表示パネル４３が設けられており、この液晶表示パネル４３が本体部１０の操作面の方向から視認できるように、第２の軸Ｒ２周りに最大で略１８０度回動可能とされている。この液晶表示パネル４３は、アスペクト比が例えば１６：９のワイドパネルであり、表示部４０の面積を有効に利用するために、表示部４０の全面に亘って設けられている。
【００２７】
なお、携帯型表示装置１の構成が上述の例に限定されないことは勿論である。例えば、支持部３０と表示部４０とを蓋体の左端において第２の軸Ｒ２を介して接続し、蓋体を円弧の略中心の点を軸中心Ｒ１とする第１の軸周りに、本体部１０の主面上で反時計周りに略９０度回動可能としてもよい。この場合には、押圧スイッチ１８やボリュームダイアル１９を本体部１０の操作面に向かって右側面に設けることが好ましい。これにより、支持部３０を反時計回りに略９０度回動させ、携帯型表示装置１を左手で把持した際に、回動操作スイッチ３１を例えば親指で操作し、押圧スイッチ１８及びボリュームダイアル１９を例えば人差し指で操作することができる。
【００２８】
以下、この携帯型表示装置１の内部構成について、図９の機能ブロック図を参照しながら説明する。
【００２９】
ビデオエンコーダ／デコーダ５０は、メモリカード２に記憶されている映像データに対するデコード処理を行う。ビデオエンコーダ／デコーダ５０には、挿入スロット１１に装着されたメモリカード２に記憶されている映像データが、メモリカードインターフェース（メモリカードＩ／Ｆ）５２を介して供給される。ビデオエンコーダ／デコーダ５０は、この映像データに対して伸長処理等のデコード処理を行う。デコード処理がされた映像データは、システム制御部５６を介して、液晶表示パネル４３に表示される。
【００３０】
また、ビデオエンコーダ／デコーダ５０は、撮像機能付きメモリカード３に記憶されている画像データのデコード処理を行う。ビデオエンコーダ／デコーダ５０には、挿入スロット１３に装着された撮像機能付きメモリカード３に記憶されている画像データがメモリカードＩ／Ｆ５３を介して供給される。ビデオエンコーダ／デコーダ５０は、この画像データに対して伸長処理等のデコード処理を行う。デコード処理がされた画像データは、システム制御部５６を介して、液晶表示パネル４３に表示される。
【００３１】
オーディオエンコーダ／デコーダ５１は、メモリカード２に記憶されている音響データに対するデコード処理を行う。オーディオエンコーダ／デコーダ５１には、挿入スロット１１に装着されたメモリカード２に記憶されている音響データがメモリカードＩ／Ｆ５２を介して供給される。オーディオエンコーダ／デコーダ５１は、この音響データに対して伸長処理等のデコード処理を行う。デコード処理がされた音響データは、イヤフォンインターフェース（イヤフォンＩ／Ｆ）５４を介してイヤフォン端子２２から出力される。
【００３２】
また、ビデオエンコーダ／デコーダ５０及びオーディオエンコーダ／デコーダ５１には、外部から入力された映像／音響データが、データ入出力端子２０又はライン入力端子２１を介して入力される。ビデオエンコーダ／デコーダ５０及びオーディオエンコーダ／デコーダ５１は、入力された映像／音響データに対して圧縮処理等のエンコード処理を行う。エンコード処理された映像／音響データは、メモリカードＩ／Ｆ５３を介して、挿入スロット１１に装着されたメモリカードに記憶される。
【００３３】
システム制御部５６には、トラックパッド１４や、押圧スイッチ１８、ボリュームダイアル１９、メニューボタン１６、エンターボタン１７、回動操作スイッチ３１等の操作スイッチ５７からの信号が入力される。システム制御部５６は、これらの入力に基づいて、携帯型表示装置１の各部を制御する。
【００３４】
以上説明したように、本実施の形態における携帯型表示装置１によれば、液晶表示パネル４３の長手方向を蓋体の長手方向にとり、画像／映像データを鑑賞する際には、支持部３０を第１の軸周りに略９０度回動させると共に表示部４０を第２の軸Ｒ２周りに例えば略１８０度回転させ、本体部１０の操作面と液晶表示パネル４３とを同一方向から視認できるようにすることで、把持性よくワイドアスペクト比の画像／映像データを鑑賞することができ、片手での操作も容易である。
【００３５】
なお、本発明は上述した実施の形態のみに限定されるものではなく、本発明の要旨を逸脱しない範囲において種々の変更が可能であることは勿論である。
【００３６】
例えば、上述の実施の形態では、図８に示したように、支持部３０を第１の軸周りに略９０度回動させると共に表示部４０を第２の軸Ｒ２周りに例えば略１８０度回転させ、本体部１０の操作面と液晶表示パネル４３とを同一方向から視認できる状態で使用するものとして説明したが、この使用態様に限定されるものではない。すなわち、台上に載置することができる場合には、図１０に示すように、表示部４０のみを第２の軸Ｒ２周りに適当な角度回転させ、本体部１０の主面となる操作面と液晶表示パネル４３とを同一方向から視認できる状態で使用するようにしても構わない。なお、この第２の軸Ｒ２周りの回動の際には、表示部４０に設けられた爪部４２に指をかけて回動させることができる。
【００３７】
また、上述の実施の形態では、着脱可能な半導体記憶媒体であるメモリカード２に映像データが記憶されているものとして説明したが、これに限定されるものではなく、例えば半導体記憶装置が内蔵されているものであっても構わない。この場合、例えば無線を介してワイヤレスで送信される映像データを半導体記憶装置に記憶し、この映像データを液晶表示パネル４３に表示させることができる。
【００３８】
【発明の効果】
以上詳細に説明したように本発明に係る携帯型表示装置は、縦型の略直方体形状の本体部と、該本体部の主面と略同寸法の対向面を有する蓋体とを備える携帯型表示装置において、上記蓋体は、支持部と表示部とが長手方向に配列されてなり、上記支持部は、上記本体部の長手方向の中間位置から離隔した位置において上記本体部の主面と垂直な第１の軸を介して上記本体部と接続され、上記本体部の主面上で上記第１の軸周りに回動可能とされており、上記表示部は、上記蓋体の上記第１の軸と直交する第２の軸を介して上記支持部と接続され、該第２の軸周りに回動可能とされており、上記本体部との対向面に表示パネルが設けられている。
【００３９】
ここで、上記表示パネルは、例えばアスペクト比が１６：９であり、上記第１の軸による回動前においては、その長手方向が上記本体部の長手方向と一致する。  また、この表示パネルには、半導体記憶媒体、例えば着脱可能なメモリカードに記憶された表示データが表示される。
【００４０】
このような携帯型表示装置によれば、画像／映像データを鑑賞する際に、支持部を第１の軸周りに回動させると共に表示部を第２の軸周りに例えば回動させ、本体部の主面と例えばアスペクト比が１６：９である表示パネルとを同一方向から視認できるようにすることで、把持性よくワイドアスペクト比の画像／映像データを鑑賞することができる。
【図面の簡単な説明】
【図１】本実施の形態における携帯型表示装置を示す分解斜視図である。
【図２】同携帯型表示装置を示す正面図である。
【図３】同携帯型表示装置を示す背面図である。
【図４】同携帯型表示装置を示す底面図である。
【図５】同携帯型表示装置を示す平面図である。
【図６】同携帯型表示装置において、蓋体を本体部に対して回動させる様子を示す図である。
【図７】同携帯型表示装置において、表示部を支持部に対して回動させる様子を示す図であり、同図（Ａ）は正面図を示し、同図（Ｂ）は右側面図を示す。
【図８】同携帯型表示装置の使用状態における斜視図である。
【図９】同携帯型表示装置の内部構成を説明する図である。
【図１０】同携帯型表示装置の他の使用状態における斜視図である。
【図１１】メモリカードを用いる従来の携帯型電話機を示す正面図である。
【図１２】メモリカードを用いる従来の電子辞書を示す正面図である。
【符号の説明】
１  携帯型表示装置、２  メモリカード、３  撮像機能付きメモリカード、１０  本体部、１１  挿入スロット、１２  充電端子、１３  挿入スロット、１４トラックパッド、１５  凹部、１６  メニューボタン、１７  エンターボタン、１８  押圧スイッチ、１９  ボリュームダイアル、２０  データ入出力端子、２１  ライン入力端子、２２  イヤフォン端子、３０  支持部、３１  回動操作スイッチ、４０  表示部、４１，４２  爪部、４３  液晶表示パネル
【図１】
2004215194.tif 000003
【図２】
2004215194.tif 000004
【図３】
2004215194.tif 000005
【図４】
2004215194.tif 000006
【図５】
2004215194.tif 000007
【図６】
2004215194.tif 000008
【図７】
2004215194.tif 000009
【図８】
2004215194.tif 000010
【図９】
2004215194.tif 000011
【図１０】
2004215194.tif 000012
【図１１】
2004215194.tif 000013
【図１２】
2004215194.tif 000014